(57)【要約】【課題】熱処理後の基板を冷却するための冷却時間を短縮することができる技術を提供する。【解決手段】基板処理装置は、ウェハ１２を処理するための処理室３４と、ウェハ１２を保持し、処理室３４に対して搬入または搬出されるボート２０と、処理室３４に、不活性ガスからなる第１ガスを供給するガス源５１ａと、を有するものである。そして、基板処理装置は、ウェハ１２を保持しているボート２０が処理室３４に搬入され、処理室３４に第１ガスが供給されている状態で、ボート２０に保持されているウェハ１２を加熱しつつ処理する誘導コイル３７と、処理されたウェハ１２を冷却する際に、処理室３４に、第１ガスの熱伝導率よりも高い熱伝導率を有する第２ガスを供給するガス源５１ｂと、を有するものである。【選択図】図２
2013201288.tif 000002
【特許請求の範囲】
【請求項１】
基板を処理するための処理室と、
前記基板を保持し、前記処理室に対して搬入または搬出される保持部と、
前記処理室に、不活性ガスからなる第１ガスを供給する第１供給部と、
前記基板を保持している前記保持部が前記処理室に搬入され、前記処理室に前記第１ガスが前記第１供給部により供給されている状態で、前記保持部に保持されている前記基板を加熱しつつ処理する加熱部と、
処理された前記基板を冷却する際に、前記処理室に、前記第１ガスの熱伝導率よりも高い熱伝導率を有する第２ガスを供給する第２供給部と、
を有する基板処理装置。
【請求項２】
（ａ）保持部により基板を保持する工程、
（ｂ）前記（ａ）工程の後、前記基板を保持している前記保持部を、前記基板を処理するための処理室に搬入する工程、
（ｃ）前記（ｂ）工程の後、前記処理室に不活性ガスからなる第１ガスが供給されている状態で、前記保持部に保持されている前記基板を加熱部により加熱しつつ処理する工程、
（ｄ）前記（ｃ）工程の後、前記処理室に前記第１ガスの熱伝導率よりも高い熱伝導率を有する第２ガスが供給されている状態で、処理された前記基板を冷却する工程、
を有することを特徴とする基板処理方法。
【請求項３】
（ａ）保持部により基板を保持する工程、
（ｂ）前記（ａ）工程の後、前記基板を保持している前記保持部を、前記基板を処理するための処理室に搬入する工程、
（ｃ）前記（ｂ）工程の後、前記処理室に不活性ガスからなる第１ガスが供給されている状態で、前記保持部に保持されている前記基板を加熱部により加熱しつつ処理する工程、
（ｄ）前記（ｃ）工程の後、前記処理室に前記第１ガスの熱伝導率よりも高い熱伝導率を有する第２ガスが供給されている状態で、処理された前記基板を冷却する工程、
を有することを特徴とする半導体装置の製造方法。 
【発明の詳細な説明】
【技術分野】
【０００１】
本発明は、基板処理装置、基板処理方法および半導体装置の製造方法に関し、特に、基板を加熱しつつ処理するための基板処理装置、基板処理方法および半導体装置の製造方法に適用して有効な技術に関する。
【背景技術】
【０００２】
ＳｉＣは、Ｓｉ（シリコン）に比べ、絶縁耐圧や熱伝導性が高いこと等から、特にパワーデバイス用素子材料として注目されている。その一方で、ＳｉＣは、不純物拡散係数が小さいこと等から、Ｓｉに比べ、単結晶基板や半導体装置（半導体デバイス）の製造が難しいことが知られている。例えば、Ｓｉ基板上にＳｉからなるエピタキシャル膜を成膜する温度（成膜温度）が９００〜１２００℃程度であるのに対し、ＳｉＣ基板上にＳｉＣからなるエピタキシャル膜を成膜する温度（成膜温度）は１５００〜１８００℃程度であり、成膜を行うための基板処理装置の耐熱構造等に技術的な工夫が必要となる。
【０００３】
例えば、ＳｉＣ基板上に、ＳｉＣからなるエピタキシャル膜（ＳｉＣエピタキシャル膜）を成膜するために、複数の基板を効率的に処理し得るバッチ式の基板処理装置として、複数の基板を垂直方向（縦方向）に積層した状態で保持するボートを備えた、いわゆるバッチ式縦型基板処理装置が知られている。
【０００４】
このようなバッチ式縦型基板処理装置を用いてＳｉＣエピタキシャル膜を成膜する工程では、複数のＳｉＣ基板を保持しているボートを処理炉内の処理室に搬入した後、例えば処理室の外側に設けられた誘導コイルに高周波電力を供給し、処理室の加熱体を誘導加熱することで、ボートに保持されているＳｉＣ基板を所定温度に加熱する。また、ＳｉＣ基板を加熱するとともに、処理室内に設けられたガス供給ノズルから各ＳｉＣ基板に向けて反応ガスを供給する。これにより、ボートに保持されている各ＳｉＣ基板が反応ガスに曝されることで、各ＳｉＣ基板上に一度に効率よくＳｉＣエピタキシャル膜を成膜することができる。
【０００５】
また、ＳｉＣ基板を用いた半導体装置の製造工程では、あるバッチ式縦型基板処理装置を用いてＳｉＣ基板上にＳｉＣエピタキシャル膜を成膜した後、ＳｉＣエピタキシャル膜が成膜されたＳｉＣ基板を、別のバッチ式縦型基板処理装置（アニール処理用の基板処理装置）を用いてアニール処理することがある。アニール処理用の基板処理装置でも、複数のＳｉＣ基板を保持しているボートを処理炉内の処理室に搬入した後、処理室に不活性ガスを供給している状態で、処理室の外側に設けられた誘導コイルに高周波電力を供給し、処理室の加熱体を誘導加熱することで、ボートに保持されているＳｉＣ基板を所定温度に加熱する。これにより、各ＳｉＣ基板を一度に効率よくアニール処理することができる。
【０００６】
特開２００７−６６９３４号公報（特許文献１）には、上記したバッチ式縦型基板処理装置による基板処理方法であって、基板を処理室に搬入し、処理室内で基板にアニール処理を施し、アニール処理後の基板を処理室から搬出する技術が記載されている。
【先行技術文献】
【特許文献】
【０００７】
【特許文献１】特開２００７−６６９３４号公報
【発明の概要】
【発明が解決しようとする課題】
【０００８】
ＳｉＣエピタキシャル膜が形成されたＳｉＣ基板をアニール処理（熱処理）する時の処理室内の温度（処理温度）は、１６００〜２０００℃程度であり、１５００〜１８００℃程度であるＳｉＣエピタキシャル膜の成膜温度よりもさらに高い。また、ＳｉＣ基板を処理室から搬出する時の処理室内の温度（搬出温度）は、例えば５００〜８００℃程度であり、搬出温度と処理温度との温度差が大きい。その結果、ＳｉＣ基板をアニール処理（熱処理）した後、処理室内の温度を処理温度から搬出温度まで下降（降温）させるための時間、すなわち、ＳｉＣ基板を冷却するための時間（冷却時間）が長くなり、単位時間当たりに処理可能なＳｉＣ基板の枚数（スループット）が低下するという問題がある。
【０００９】
本発明の目的は、熱処理後の基板を冷却するための冷却時間を短縮することができる技術を提供することにある。
【００１０】
本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、次のとおりである。
【００１２】
本発明における基板処理装置は、基板を処理するための処理室と、前記基板を保持し、前記処理室に対して搬入または搬出される保持部と、前記処理室に、不活性ガスからなる第１ガスを供給する第１供給部と、を有するものである。そして、本発明における基板処理装置は、前記基板を保持している前記保持部が前記処理室に搬入され、前記処理室に前記第１ガスが前記第１供給部により供給されている状態で、前記保持部に保持されている前記基板を加熱しつつ処理する加熱部と、処理された前記基板を冷却する際に、前記処理室に、前記第１ガスの熱伝導率よりも高い熱伝導率を有する第２ガスを供給する第２供給部と、を有するものである。
【００１３】
また、本発明における基板処理方法は、（ａ）保持部により基板を保持する工程、（ｂ）前記（ａ）工程の後、前記基板を保持している前記保持部を、前記基板を処理するための処理室に搬入する工程、（ｃ）前記（ｂ）工程の後、前記処理室に不活性ガスからなる第１ガスが供給されている状態で、前記保持部に保持されている前記基板を加熱部により加熱しつつ処理する工程、を有するものである。そして、本発明における基板処理方法は、（ｄ）前記（ｃ）工程の後、前記処理室に前記第１ガスの熱伝導率よりも高い熱伝導率を有する第２ガスが供給されている状態で、処理された前記基板を冷却する工程、を有するものである。
【００１４】
さらに、本発明における半導体装置の製造方法は、（ａ）保持部により基板を保持する工程、（ｂ）前記（ａ）工程の後、前記基板を保持している前記保持部を、前記基板を処理するための処理室に搬入する工程、（ｃ）前記（ｂ）工程の後、前記処理室に不活性ガスからなる第１ガスが供給されている状態で、前記保持部に保持されている前記基板を加熱部により加熱しつつ処理する工程、を有するものである。そして、本発明における半導体装置の製造方法は、（ｄ）前記（ｃ）工程の後、前記処理室に前記第１ガスの熱伝導率よりも高い熱伝導率を有する第２ガスが供給されている状態で、処理された前記基板を冷却する工程、を有するものである。
【発明の効果】
【００１５】
本願において開示される発明のうち、代表的なものによって得られる効果を簡単に説明すれば以下のとおりである。
【００１６】
熱処理後の基板を冷却するための冷却時間を短縮することができる。
【図面の簡単な説明】
【００１７】
【図１】実施の形態１における基板処理装置の概略構成を示す斜視図である。
【図２】実施の形態１における処理炉の概略構成を示す縦断面図である。
【図３】実施の形態１における処理炉周辺の構成を示す図である。
【図４】実施の形態１における基板処理装置を制御するコントローラの構成を示すブロック図である。
【図５】実施の形態１の基板処理装置を使用した基板処理工程の一部を示すプロセスフロー図である。
【図６】実施の形態１の基板処理工程における、処理室内の圧力、処理室内の温度および高周波電源により供給される高周波電力の時間変化を表すグラフである。
【図７】実施例１および比較例１の降温工程における処理室内の温度の時間変化を模式的に示すグラフである。
【図８】実施例２および比較例２の降温工程における処理室内の温度の時間変化を模式的に示すグラフである。
【図９】実施の形態３における処理炉の概略構成を示す縦断面図である。
【発明を実施するための形態】
【００１８】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００１９】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２０】
さらに、以下の実施の形態において、その構成要素（要素ステップ等も含む）は、特に明示した場合および原理的に明らかに必須であると考えられる場合等を除き、必ずしも必須のものではないことはいうまでもない。
【００２１】
同様に、以下の実施の形態において、構成要素等の形状、位置関係等に言及するときは、特に明示した場合および原理的に明らかにそうではないと考えられる場合等を除き、実質的にその形状等に近似または類似するもの等を含むものとする。このことは、上記数値および範囲についても同様である。
【００２２】
また、実施の形態を説明するための全図において、同一の部材には原則として同一の符号を付し、その繰り返しの説明は省略する。なお、図面をわかりやすくするために平面図であってもハッチングを付す場合がある。
【００２３】
（実施の形態１）
＜基板処理装置の概略構成＞
本発明を実施するための実施の形態において、基板処理装置は、一例として、半導体装置の製造方法に含まれる基板処理工程を実施する半導体製造装置、または、例えば半導体基板からなる基板の製造方法に含まれる基板処理工程を実施する基板製造装置として構成されている。以下の説明では、例えば、ＳｉＣからなる半導体基板としての基板（ウェハ）にアニール処理（熱処理）を行う縦型の基板処理装置に、本発明の技術的思想を適用した場合について述べる。特に、本発明を実施するための実施の形態では、複数の基板を一度に処理するバッチ方式の基板処理装置を対象にして説明する。
【００２４】
まず、本実施の形態１における基板処理装置について、図面を参照しながら説明する。図１は、実施の形態１における基板処理装置の概略構成を示す斜視図である。
【００２５】
半導体製造装置としての基板処理装置１０は、バッチ式縦型熱処理装置であり、主要部が配置される筐体１１を有する。基板処理装置１０には、例えばＳｉＣ基板からなるウェハ１２（後述する図２参照）を収納する基板収容器（ウェハキャリア）として、フープ（以下、ポッドと称す）１３が使用される。筐体１１の正面側には、ポッドステージ１４が配置されており、ポッドステージ１４にポッド１３が搬送される。ポッド１３には、例えば２５枚のウェハ１２が収納され、蓋が閉じられた状態でポッドステージ１４にセットされる。
【００２６】
筐体１１内の正面であって、ポッドステージ１４に対向する位置には、ポッド搬送装置１５が配置されている。また、ポッド搬送装置１５の近傍にはポッド収納棚１６、ポッドオープナ１７および基板枚数検知器１８が配置されている。ポッド収納棚１６は、ポッドオープナ１７の上方に配置されており、ポッド１３が複数個載置された状態で、ポッド１３を保持するように構成されている。基板枚数検知器１８は、ポッドオープナ１７に隣接して配置されており、ポッド搬送装置１５は、ポッドステージ１４とポッド収納棚１６とポッドオープナ１７との間でポッド１３を搬送する。ポッドオープナ１７は、ポッド１３の蓋を開けるものであり、基板枚数検知器１８は、蓋を開けられたポッド１３内のウェハ１２の枚数を検知するようになっている。
【００２７】
筐体１１内には、基板移載機１９、基板保持具としてのボート２０が配置されている。基板移載機１９は、アーム（ツイーザ）２１を有し、図示しない駆動手段により昇降可能かつ回転可能な構造となっている。アーム２１は、例えば５枚のウェハ１２を取出すことができ、ポッドオープナ１７の位置に置かれたポッド１３とボート２０との間でウェハ１２を搬送する。
【００２８】
ボート２０は、例えばカーボングラファイト等の耐熱性材料で構成されており、複数枚のウェハ１２を水平姿勢で、かつ互いに中心を揃えた状態で整列させて縦方向に積上げ、保持するように構成されている（後述する図２参照）。
【００２９】
筐体１１内の背面側上部には処理炉（反応炉）３０が配置されている。処理炉３０内には、複数枚のウェハ１２（後述する図２参照）を保持しているボート２０が搬入され、熱処理が行われる。
【００３０】
基板処理装置１０を構成する各部は、コントローラ８０（後述する図２参照）と電気的に接続されており、コントローラ８０は、基板処理装置１０を構成する各部の動作を制御するように構成されている。
【００３１】
＜処理炉の構成＞
次に、本実施の形態１における処理炉の構成について、図面を参照しながら説明する。図２は、実施の形態１における処理炉の概略構成を示す縦断面図である。
【００３２】
図２に示すように、本実施の形態１における処理炉３０は、最も外側に筐体３１を有しており、この筐体３１の内部に反応管３２が配置されている。反応管３２は、例えば、石英などから構成されている。
【００３３】
反応管３２の開口側（図２下方側）には、マニホールド３３が設けられている。このマニホールド３３は、例えば、ステンレス材料などからなり、上方側および下方側が開口した形状に形成されている。マニホールド３３は、反応管３２を支持し、マニホールド３３と反応管３２との間には、シール部材としてのＯリング（図示せず）が設けられている。これにより、反応管３２、およびマニホールド３３の内部に供給されたガスが外部に漏洩するのを防止している。マニホールド３３は、その下方側に設けられた保持体（図示せず）に支持されており、これにより反応管３２は、地面（図示せず）に対して垂直に据え付けられた状態となっている。ここで、反応管３２およびマニホールド３３により、処理室（反応室）３４が形成されている。
【００３４】
処理室３４の内部には、ウェハ１２を保持しているボート２０が搬入され、処理室３４において、ボート２０に保持されているウェハ１２へのアニール処理が行われるようになっている。すなわち、処理室３４は、ボート２０に保持されているウェハ１２を処理するためのものである。ボート２０はシールキャップ２３上に配置され、このシールキャップ２３によって処理室３４が密閉されるように構成されている。また、図３を用いて後述するように、シールキャップ２３には、回転機構６１が設けられており、この回転機構６１の回転軸６２はシールキャップ２３を貫通してボート２０に接続されている。
【００３５】
ボート２０は、ウェハ１２またはウェハホルダ（図示せず）に搭載されたウェハ１２を、各々のウェハの主面が水平になるように、かつ、各々のウェハの中心が平面視で一致するように、垂直方向（縦方向）に積層した状態で保持するようになっている。すなわち、ボート２０は、ウェハ１２を保持する保持部として機能する。なお、ボート２０の下方側には、例えば、積層グラファイト板等の耐熱性材料により円柱形状に形成された断熱部材としてのボート断熱部２２が設けられ、後述する加熱体３５からの熱が、処理室３４の下方側に伝達しにくくなっている。
【００３６】
処理室３４の内部には、加熱体（被誘導体）３５が形成されている。加熱体３５は、上方側が閉塞されて下方側が開口された円筒形状に形成されている。これにより、加熱体３５内に供給されるガスを封止でき、かつ処理室３４の上方側への放熱を抑制できる。加熱体３５は、例えば、カーボングラファイトから形成されており、ボート２０を囲むように設けられている。
【００３７】
また、反応管３２の外側には、例えばアルミナなどのセラミック材からなり、円筒形状を有する支持部材３６が設けられており、支持部材３６の内周側には、誘導コイル３７が巻かれている。誘導コイル３７は高周波電源３８に接続されており、この高周波電源３８が誘導コイル３７に例えば１０〜２００ｋＷの高周波電力を例えば１０〜１００ｋＨｚの周波数で供給することにより、誘導コイル３７に高周波電流が流れる。
【００３８】
誘導コイル３７に高周波電流が流れると、処理炉３０の内部に高周波電磁界が発生し、発生した高周波電磁界により被誘導体である加熱体３５に渦電流が流れる。加熱体３５に渦電流が流れることでジュール熱が発生し、発生したジュール熱により、加熱体３５が加熱（誘導加熱）されて昇温される。その結果、昇温された加熱体３５からの輻射熱により、処理室３４が加熱され、処理室３４に搬入されているボート２０、および、ボート２０に保持されているウェハ１２が加熱される。すなわち、ボート２０が処理室３４に搬入されている状態で、ボート２０に保持されているウェハ１２は、加熱部として機能する誘導コイル３７および加熱体３５により周囲から加熱される。
【００３９】
例えば加熱体３５と反応管３２との間など、加熱体３５の近傍には、例えば熱電対からなり、処理室３４内の温度を検出する温度センサ３９が設けられている。
【００４０】
高周波電源３８および温度センサ３９には、コントローラ８０（図２参照）の温度制御部８２（後述する図４参照）が電気的に接続されている。温度制御部８２は、温度センサ３９により測定された温度の測定値に基づいて、高周波電源３８により誘導コイル３７へ供給される高周波電力を制御することで、処理室３４内の温度を制御する。
【００４１】
反応管３２と加熱体３５との間には、たとえば、誘導加熱されにくいカーボンフェルトなどで形成された断熱材４２が設けられている。断熱材４２は、反応管３２および加熱体３５と同様に、上方側が閉塞され下方側が開口された円筒形状に形成されている。断熱材４２は、例えば１５００〜２０００℃程度に加熱された加熱体３５からの熱が、例えば反応管３２など、断熱材４２の外側に配置された部材に熱伝達されることを抑制するためのものである。このように、断熱材４２を設けることで、加熱体３５が例えば１５００〜２０００℃程度に加熱されている場合に、反応管３２の温度を例えば１０００℃程度以下に下げることができる。なお、断熱材４２の周囲には、断熱材４２を支持するための断熱材ケーシング４２ａが、例えば、石英で形成されている。
【００４２】
誘導コイル３７の外周側には、処理室３４内の熱が外部に伝達されるのを抑制するために、例えば水冷構造の外側断熱壁４３が設けられている。外側断熱壁４３は円筒形状に形成され、処理室３４および支持部材３６を包囲するよう配置されている。さらに、外側断熱壁４３の外周側には、誘導コイル３７へ通電することで発生する高周波電磁界が、外部に漏洩するのを防止するための磁気シール４４が設けられている。磁気シール４４においても、上方側が閉塞され下方側が開口された円筒形状に形成されている。図２に示す例では、筐体３１が磁気シール４４を兼ねた構造としている。
【００４３】
加熱体３５と各ウェハ１２との間には、複数の第１ガス供給口４５ａを備えた第１ガス供給ノズル（ガスノズル）４５が設けられている。また、加熱体３５と断熱材４２との間には、複数の第２ガス供給口４６ａを備えた第２ガス供給ノズル（ガスノズル）４６が設けられている。
【００４４】
第１ガス供給ノズル４５は、例えば、カーボングラファイト等で中空パイプ状に形成され、その先端側は加熱体３５の上方側まで延在しており、各第１ガス供給口４５ａは各ウェハ１２の側面に向けられている。第１ガス供給ノズル４５の基端側は、例えば、石英等により中空パイプ状に形成された基端部４５ｂに接続されている。基端部４５ｂは、マニホールド３３を貫通しつつ、当該マニホールド３３に溶接等により固定されている。
【００４５】
第２ガス供給ノズル４６も、第１ガス供給ノズル４５と同様に、例えば、カーボングラファイト等で中空パイプ状に形成され、その先端側は加熱体３５の上方側まで延在しており、各第２ガス供給口４６ａは断熱材４２に向けられている。第２ガス供給ノズル４６の基端側は、例えば、石英等により中空パイプ状に形成された基端部４６ｂに接続されている。基端部４６ｂは、マニホールド３３を貫通しつつ、当該マニホールド３３に溶接等により固定されている。
【００４６】
第１ガス供給ノズル４５および第２ガス供給ノズル４６は、いずれも、不活性ガスからなる第１ガス、または、第１ガスと異なる第２ガスを、切り替えて供給するようになっている。
【００４７】
第１ガスとして、例えばアルゴン（Ａｒ）ガス等の不活性ガスを用いることができる。以下では、第１ガスとして、Ａｒガスを供給する例について説明する。しかし、第１ガスとしては、Ａｒガスに限定されず、例えば窒素（Ｎ２）ガス、ネオン（Ｎｅ）ガス、クリプトン（Ｋｒ）ガス、キセノン（Ｘｅ）ガスなど各種の不活性ガスを用いることができる。また、アニール処理の目的によっては、不活性ガスに、酸素（Ｏ２）ガス、水素（Ｈ２）ガスなど他の各種のガスを混合したものを用いることもできる。
【００４８】
第２ガスは、第１ガスの熱伝導率よりも高い熱伝導率を有するガスである。後述するように、ウェハをアニール処理する工程（後述する熱処理工程）の後、ウェハを冷却する工程（降温工程）の途中で、処理室３４に供給されるガスを、第１ガスから第２ガスに切り替える。これにより、降温工程において処理室３４に第１ガスのみを供給する場合に比べ、処理室内の空間に供給されているガスを介して処理室の内部から外部へ単位時間に熱伝達される熱量を増加させることができるため、ウェハを冷却するための冷却時間を短縮することができる。
【００４９】
第２ガスとして、例えばヘリウム（Ｈｅ）ガスを用いることができる。以下では、第２ガスとして、Ｈｅガスを供給する例について説明する。しかし、第２ガスとしては、Ｈｅガスに限定されず、第１ガスの熱伝導率よりも高い熱伝導率を有する各種のガスを用いることができる。
【００５０】
第１ガス供給ノズル４５は、基端部４５ｂを介して第１ガスライン４７に接続されている。第２ガス供給ノズル４６は、基端部４６ｂを介して第２ガスライン４８に接続されている。第１ガスライン４７は、流量制御器（流量制御部）としての各ＭＦＣ（Mass Flow Controller）４９ａ、４９ｂおよび各バルブ５０ａ、５０ｂを介して、処理室３４に各ガスを供給する供給部としての各ガス源５１ａ、５１ｂに接続されている。第２ガスライン４８は、流量制御器（流量制御部）としての各ＭＦＣ４９ｃ、４９ｄおよび各バルブ５０ｃ、５０ｄを介して、処理室３４に各ガスを供給する供給部としての各ガス源５１ｃ、５１ｄに接続されている。ガス源５１ａ、５１ｃには、例えばＡｒガスからなる第１ガスが充填されており、ガス源５１ｂ、５１ｄには、例えばＨｅガスからなる第２ガスが充填されている。
【００５１】
ＭＦＣ４９ａ〜４９ｄおよびバルブ５０ａ〜５０ｄは、コントローラ８０（図２参照）のガス流量制御部８３（後述する図４参照）に電気的に接続されている。ガス流量制御部８３は、ＭＦＣ４９ａ〜４９ｄおよびバルブ５０ａ〜５０ｄを制御することで、第１ガス供給ノズル４５および第２ガス供給ノズル４６の各々から供給される第１ガスおよび第２ガスの各々の流量を、所定の流量に制御することができる。
【００５２】
処理室３４内の雰囲気を排気するために、マニホールド３３には、ガス排気口５２が設けられている。ガス排気口５２は、ガス排気管５３に接続されている。ガス排気管５３の下流側には、圧力調整器としてのＡＰＣ（Auto Pressure Controller）バルブ５４を介して、真空ポンプ等の真空排気装置５５が接続されている。ガス排気管５３のＡＰＣバルブ５４よりも上流側の部分には、処理室３４内の圧力を測定するための圧力センサ５６が設けられている。
【００５３】
圧力センサ５６およびＡＰＣバルブ５４には、コントローラ８０（図２参照）の圧力制御部８４（後述する図４参照）が電気的に接続されている。圧力制御部８４は、圧力センサ５６により測定された圧力の測定値に基づいて、ＡＰＣバルブ５４の開度を制御し、処理室３４内のガスを、ガス排気口５２、ガス排気管５３およびＡＰＣバルブ５４を介して真空排気装置５５から外部に所定量排気することで、処理室３４内の圧力を制御する。
【００５４】
また、処理室３４内、または、図示しないものの、ガス排気管５３のＡＰＣバルブ５４よりも上流側の部分には、処理室３４内の酸素濃度を測定するための酸素濃度センサ５７が設けられている。酸素濃度センサ５７には、コントローラ８０（図２参照）の測定部８５（後述する図４参照）が電気的に接続されている。測定部８５は、酸素濃度センサ５７により、処理室３４内の酸素濃度を測定し、酸素濃度の測定値が、予め決定された上限値よりも小さいか否かを判定することで、処理室３４内のリークの有無を判断する。
【００５５】
＜処理炉周辺の構成＞
次に、本実施の形態１における処理炉周辺の構成について、図面を参照しながら説明する。図３は、実施の形態１における処理炉周辺の構成を示す図である。
【００５６】
処理炉３０の下方には、予備室としてのロードロック室２４が設けられている。また、処理室３４にボート２０が搬入された状態では、処理炉３０の下部には、処理炉３０の下端開口を気密に閉塞するための炉口蓋体としてシールキャップ２３が設けられている。
【００５７】
シールキャップ２３は、例えばステンレス等の金属製であり、円盤状に形成されている。シールキャップ２３の上面には、処理炉３０の下端と当接するシール材としてのＯリング（図示せず）が設けられている。シールキャップ２３には回転機構６１が設けられており、この回転機構６１の回転軸６２は、シールキャップ２３を貫通してボート２０に接続されている。これにより、処理炉３０は、回転軸６２を介してボート２０を回転させることで、ウェハ１２を回転させるように構成されている。
【００５８】
シールキャップ２３は、処理炉３０の外側に昇降機構として設けられた、後述する昇降モータ６３により、垂直方向に昇降されるように構成されており、これによりボート２０を処理炉３０に対して搬入または搬出することが可能となっている。回転機構６１および昇降モータ６３には、後述する駆動制御部８６が電気的に接続されており、駆動制御部８６は、回転機構６１および昇降モータ６３が所定動作をするように制御する。
【００５９】
予備室としてのロードロック室２４の外面には、下基板６４が設けられている。この下基板６４には、昇降台６５とスライド自在になっているガイドシャフト６６および昇降台６５と螺合するボール螺子６７が設けられている。また、下基板６４に設けられたガイドシャフト６６およびボール螺子６７の上端には、上基板６８が設けられている。ボール螺子６７は、上基板６８に設けられた昇降モータ６３によって回転され、ボール螺子６７が回転することにより、昇降台６５が昇降するようになっている。
【００６０】
昇降台６５には中空の昇降シャフト６９が設けられ、昇降台６５と昇降シャフト６９の連結部は気密となっており、この昇降シャフト６９は昇降台６５とともに昇降するようになっている。昇降シャフト６９は、ロードロック室２４の天板７０を貫通しており、昇降シャフト６９が貫通する天板７０の貫通孔は、昇降シャフト６９が天板７０と接触することがないように、充分な隙間が形成されている。
【００６１】
ロードロック室２４と昇降台６５との間には、昇降シャフト６９の周囲を覆うように伸縮性を有する中空伸縮体としてベローズ７１が設けられており、このベローズ７１によりロードロック室２４が気密に保たれるようになっている。ベローズ７１は、昇降台６５の昇降量に対応できる充分な伸縮量を有しており、ベローズ７１の内径は昇降シャフト６９の外径に比べて充分に大きく、伸縮の際にベローズ７１と昇降シャフト６９が接触することがないように構成されている。
【００６２】
昇降シャフト６９の下端には、昇降基板７２が水平に固着され、この昇降基板７２の下面にはＯリング等のシール部材を介して駆動部カバー７３が気密に取付けられている。昇降基板７２と駆動部カバー７３により駆動部収納ケース７４が構成されており、この構成により、駆動部収納ケース７４の内部は、ロードロック室２４内の雰囲気と隔離される。
【００６３】
駆動部収納ケース７４の内部には、ボート２０の回転機構６１が設けられ、この回転機構６１の周辺は、冷却機構７５によって冷却されるようになっている。回転機構６１には、回転機構６１に電力を供給するための電力ケーブル７６が、昇降シャフト６９の上端から中空部を通り、回転機構６１に導かれて接続されている。また、冷却機構７５およびシールキャップ２３には、それぞれ冷却水流路７７が形成されている。さらに、冷却水配管７８が昇降シャフト６９の上端から中空部を通り、冷却水流路７７に導かれて接続されている。
【００６４】
処理炉周辺が上記したように構成されている場合において、昇降モータ６３が駆動され、ボール螺子６７が回転することで、昇降台６５および昇降シャフト６９を介して駆動部収納ケース７４が昇降する。そして、駆動部収納ケース７４が上昇することにより、昇降基板７２に気密に設けられているシールキャップ２３が処理炉３０の開口部である炉口７９を閉塞し、ウェハ処理が可能な状態となる。また、駆動部収納ケース７４が下降することにより、シールキャップ２３とともにボート２０が下降し、ウェハ１２を外部に搬出できる状態となる。
【００６５】
＜制御部の構成＞
続いて、本実施の形態１における基板処理装置のコントローラの構成について、図面を参照しながら説明する。図４は、実施の形態１における基板処理装置を制御するコントローラの構成を示すブロック図である。
【００６６】
図４において、本実施の形態１におけるコントローラ８０は、主制御部（制御部）８１、温度制御部８２、ガス流量制御部８３、圧力制御部８４、測定部８５および駆動制御部８６を有している。主制御部（制御部）８１は、温度制御部８２、ガス流量制御部８３、圧力制御部８４、測定部８５および駆動制御部８６と電気的に接続されており、主制御部（制御部）８１は、温度制御部８２、ガス流量制御部８３、圧力制御部８４、測定部８５および駆動制御部８６を制御するように構成されている。
【００６７】
温度制御部８２は、例えば、図２に示す高周波電源３８および温度センサ３９と電気的に接続されている。そして、温度制御部８２は、温度センサ３９によって測定された温度の測定値に基づいて、高周波電源３８が誘導コイル３７へ供給する高周波電力を制御することで、処理室３４内の温度を所定の温度に制御するように構成されている。
【００６８】
ガス流量制御部８３は、例えば、図２に示すＭＦＣ４９ａ〜４９ｄおよびバルブ５０ａ〜５０ｄと電気的に接続されている。そして、ガス流量制御部８３は、ＭＦＣ４９ａ〜４９ｄの流量設定値およびバルブ５０ａ〜５０ｄの開閉状態を制御することで、各ガス源５１ａ〜５１ｄから供給されるガスの流量を所定の流量に制御するように構成されている。
【００６９】
圧力制御部８４は、例えば、図２に示すＡＰＣバルブ５４および圧力センサ５６と電気的に接続されている。そして、圧力制御部８４は、圧力センサ５６によって測定された圧力の測定値に基づいて、ＡＰＣバルブ５４の開度を制御することで、処理室３４内の圧力を所定の圧力に制御するように構成されている。
【００７０】
測定部８５は、例えば図２に示す酸素濃度センサ５７と電気的に接続されている。そして、測定部８５は、酸素濃度センサ５７により処理室３４内の酸素濃度を測定し、酸素濃度の測定値が、予め決定された上限値よりも小さいか否かを判定する。
【００７１】
駆動制御部８６は、例えば、図３に示す回転機構６１および昇降モータ６３と電気的に接続されている。そして、駆動制御部８６は、回転機構６１および昇降モータ６３が所定の動作をするように制御可能に構成されている。
【００７２】
以上のようにして、本実施の形態１における基板処理装置１０がコントローラ８０の主制御部（制御部）８１によって制御される。
【００７３】
＜基板処理工程＞
続いて、この基板処理装置１０を使用した基板処理工程について、図面を参照しながら説明する。
【００７４】
図５は、実施の形態１の基板処理装置を使用した基板処理工程の一部を示すプロセスフロー図である。図６は、実施の形態１の基板処理工程における、処理室内の圧力、処理室内の温度および高周波電源により供給される高周波電力の時間変化を示すグラフである。図６において、横軸は時間の経過を表しており、縦軸は、処理室内の圧力、処理室内の温度および高周波電力を表している。また、図６では、処理室内の圧力、処理室内の温度および高周波電力を示すグラフの上方に、一連の基板処理工程のうち対応する工程を示している。なお、以下の説明において、基板処理装置を構成する各部の動作は、コントローラ８０の主制御部（制御部）８１（図４参照）により制御される。
【００７５】
まず、あらかじめ、アニール処理するためのウェハ１２を準備する（準備工程、図５のステップＳ１１）。
【００７６】
このステップＳ１１（準備工程）では、例えば、本実施の形態１のアニール処理用の基板処理装置に代え、成膜処理用の基板処理装置を用いる。成膜処理用の基板処理装置のうちガスの供給に関係する部分以外の部分については、本実施の形態１のアニール処理用の基板処理装置と同様にすることができる。一方、成膜処理用の基板処理装置は、例えばＡｒガスなどの不活性ガスに加え、Ｓｉ原子含有ガスとして例えばモノシラン（ＳｉＨ４）ガス、Ｃｌ原子含有ガスとして例えば塩化水素（ＨＣｌ）ガス、Ｃ原子含有ガスとして例えばプロパン（Ｃ３Ｈ８）ガス、還元ガスとして例えば水素（Ｈ２）ガスを供給可能である。
【００７７】
このような成膜処理用の基板処理装置において、例えばＳｉＣ基板からなるウェハをボートに移載して保持し、ウェハを保持しているボートを処理室に搬入する。次いで、処理室内の温度を、ウェハにＳｉＣエピタキシャル膜を成膜する温度（成膜温度）まで上昇させる。次いで、処理室内に、ＳｉＣエピタキシャル膜の成膜に寄与するＳｉ原子含有ガス（ＳｉＨ４ガス）、Ｃｌ原子含有ガス（ＨＣｌガス）、Ｃ原子含有ガス（Ｃ３Ｈ８ガス）および還元ガス（Ｈ２ガス）を供給することで、ウェハ上に、ＳｉＣエピタキシャル膜を成膜する。その後、処理室内の温度を下降させ、処理室に不活性ガスを供給して処理室内の圧力を大気圧にし、ボートを処理室から搬出する。そして、搬出されたボートからウェハを取り出すことにより、ＳｉＣエピタキシャル膜が形成されたＳｉＣ基板からなるウェハ１２を準備する。なお、Ｓｉ原子含有ガスとＣｌ原子含有ガスとして、ＳｉＨ４ガスとＨＣｌガスの代わりに、ＳｉＣｌ４ガスを供給してもよい。
【００７８】
次に、準備されたウェハ１２を、アニール処理用の基板処理装置に搬送する。そして、搬送されたウェハ１２をボート２０に移載して保持する（保持工程、図５のステップＳ１２）。
【００７９】
このステップＳ１２（保持工程）では、まず、ポッドステージ１４に複数枚のウェハ１２を収納したポッド１３がセットされると、ポッド搬送装置１５によりポッド１３をポッドステージ１４からポッド収納棚１６へ搬送し、ストックする（図１参照）。次に、ポッド搬送装置１５により、ポッド収納棚１６にストックされたポッド１３をポッドオープナ１７に搬送してセットし、このポッドオープナ１７によりポッド１３の蓋を開き、基板枚数検知器１８により、ポッド１３に収納されているウェハ１２の枚数を検知する（図１参照）。そして、基板移載機１９により、ポッドオープナ１７の位置にあるポッド１３からウェハ１２を取出し、ボート２０に移載する（図１参照）。これにより、ウェハ１２がボート２０に装填され、ボート２０によりウェハ１２が保持される。
【００８０】
次に、ウェハ１２を保持しているボート２０を処理室３４に搬入（ロード）する（搬入工程、図５および図６のステップＳ１３）。
【００８１】
このステップＳ１３（搬入工程）では、ウェハ１２を保持しているボート２０は、昇降モータ６３による昇降台６５および昇降シャフト６９の昇降動作により処理室３４に搬入（ボートローディング）される（図３参照）。このとき、シールキャップ２３は、Ｏリング（図示せず）を介してマニホールド３３の下端をシールしている。また、処理室３４に搬入されたボート２０は、回転機構６１により、回転軸６２を介して所定の回転速度で回転される。
【００８２】
図６に示すように、ステップＳ１３（搬入工程）における処理室３４内の温度、すなわち、ボート２０を処理室３４に搬入する時の処理室３４内の温度は、例えば５００〜８００℃程度の温度（搬入温度）Ｔ１（図６参照）になるように制御される。この搬入温度Ｔ１は、後述するステップＳ１６（後述する熱処理工程）における処理室３４内の温度、すなわち、ウェハ１２をアニール処理（熱処理）する時の処理室３４内の温度（後述する処理温度Ｔ２）よりも低い。また、処理室３４内の温度は、温度センサ３９により測定され、測定された温度の測定値に基づいて、温度制御部８２により、高周波電源３８が誘導コイル３７に供給する高周波電力が制御される。高周波電源３８が誘導コイル３７に高周波電力を供給することにより処理室３４内を加熱する動作の詳細については、後述するステップＳ１５（昇温工程）において説明する。
【００８３】
また、図６に示すように、ステップＳ１３（搬入工程）における処理室３４内の圧力は、大気圧Ｐａｔｍである。
【００８４】
次に、処理室３４にリークが発生していないことを確認（リーク確認）し、処理室３４内の酸素（Ｏ２）ガスの濃度を確認（酸素濃度確認）する（リーク確認工程となる酸素濃度確認工程、図５および図６のステップＳ１４）。
【００８５】
このステップＳ１４（リーク確認工程となる酸素濃度確認工程）では、まず、例えばバルブ５０ａ〜５０ｄを閉じ、ＡＰＣバルブ５４を開いた状態で、処理室３４内の圧力が、大気圧Ｐａｔｍから、例えば０〜１０００Ｐａ程度であって大気圧Ｐａｔｍよりも低い圧力Ｐｖａｃまで減少（減圧）するように、真空排気装置５５により処理室３４を真空排気する。このとき、処理室３４内の圧力は、圧力センサ５６によって測定され、測定された圧力の測定値に基づいて、圧力制御部８４により、ＡＰＣバルブ５４の開度が制御される。
【００８６】
処理室３４内が大気圧Ｐａｔｍから所定の圧力Ｐｖａｃまで減少（減圧）した後、ＭＦＣ４９ａおよびバルブ５０ａを制御することにより、ガス源５１ａから処理室３４に第１ガス（Ａｒガス）を供給する。具体的には、ＭＦＣ４９ａおよびバルブ５０ａを制御するとともに、ＡＰＣバルブ５４を制御することにより、第１ガス（Ａｒガス）は、第１ガスライン４７を介して第１ガス供給ノズル４５に流通し、第１ガス供給口４５ａより処理室３４に供給される。処理室３４に供給された第１ガス（Ａｒガス）は、加熱体３５の内側を通り、ガス排気口５２からガス排気管５３を通って排気される。このようにして、処理室３４内の圧力を、圧力Ｐｖａｃから大気圧Ｐａｔｍと略等しい圧力まで増加（増圧、復圧）させる。そして、処理室３４内の圧力が大気圧Ｐａｔｍと略等しい圧力まで増加（増圧、復圧）した状態で、処理室３４にリークが発生していないことを確認（リーク確認）し、処理室３４内の酸素ガスの濃度を確認（酸素濃度確認）する。
【００８７】
リーク確認は、例えば、以下のように行うことができる。例えば、バルブ５０ａ〜５０ｄおよびＡＰＣバルブ５４を閉じ、処理室３４の内部を封じた状態で、圧力センサ５６により処理室３４内の圧力を測定し、測定された圧力の測定値の時間経過に伴う変化量が、例えば予め決定された上限値よりも小さいか否かを判定する。そして、圧力の測定値の変化量が、予め決定された上限値よりも小さいと判定されたときに、処理室３４においてリークが発生していないことを確認したものとする。
【００８８】
酸素濃度確認は、例えば、以下のように行うことができる。例えば、バルブ５０ａ〜５０ｄおよびＡＰＣバルブ５４を閉じ、処理室３４の内部を封じた状態で、酸素濃度センサ５７により酸素濃度を測定し、測定された酸素濃度の測定値が、予め決定された上限値よりも小さいか否かを判定する。そして、酸素濃度の測定値が、予め決定された上限値よりも小さいと判定されたときに、酸素濃度を確認したものとする。
【００８９】
また、時間を短縮したい場合には、酸素濃度確認をもって、リーク確認とすることができる。すなわち、酸素濃度確認を行うことで、処理室３４においてリークが発生していないことを確認することができる。
【００９０】
なお、前述したように、第１ガスとしては、Ａｒガスに限定されず、例えばＮ２ガス、Ｎｅガス、Ｋｒガス、Ｘｅガスなど各種の不活性ガスを用いることができる。また、アニール処理の目的によっては、不活性ガスに、Ｏ２ガス、Ｈ２ガスなど他の各種のガスを混合したものを用いることもできる。（以下の工程においても同様）。
【００９１】
また、アニール処理の目的によっては、リーク確認および酸素濃度確認のいずれか一方のみを行い、他方を行わないようにすることもできる。
【００９２】
さらに、リーク確認および酸素濃度確認を行う際の処理室３４内の圧力は、圧力Ｐｖａｃよりも高い圧力であればよく、大気圧Ｐａｔｍと略等しい圧力に限定されない。
【００９３】
次に、処理室３４内の温度を、ボート２０を処理室３４に搬入する時の温度（搬入温度）Ｔ１から、ウェハ１２をアニール処理（熱処理）する時の温度まで上昇（昇温）させる（昇温工程、図５および図６のステップＳ１５）。
【００９４】
このステップＳ１５（昇温工程）では、まず、ＭＦＣ４９ａおよびバルブ５０ａを制御することにより、ガス源５１ａから第１ガス（Ａｒガス）を供給する。具体的には、ＭＦＣ４９ａおよびバルブ５０ａを制御するとともに、ＡＰＣバルブ５４を制御することにより、第１ガス（Ａｒガス）は、第１ガスライン４７を介して第１ガス供給ノズル４５に流通し、第１ガス供給口４５ａより処理室３４に供給される。処理室３４に供給された第１ガス（Ａｒガス）は、加熱体３５の内側を通り、ガス排気口５２からガス排気管５３を通って排気される。このようにして、処理室３４内の圧力を、大気圧Ｐａｔｍよりも低い圧力、例えば１００〜１０００００Ｐａ程度の圧力（第１圧力）Ｐ１に制御する。また、処理室３４内の圧力は、圧力センサ５６によって測定され、測定された圧力の測定値に基づいて、ＡＰＣバルブ５４の開度が制御される。
【００９５】
なお、ステップＳ１５（昇温工程）を開始する前に、処理室３４内の圧力を第１圧力Ｐ１に制御し始めてもよい。例えば、ステップＳ１４（リーク確認工程となる酸素濃度確認工程）において、リーク確認および酸素濃度確認が終了した後、処理室３４内の圧力を減少させ始めてもよい。図６では、ステップＳ１４（リーク確認工程となる酸素濃度確認工程）において、処理室３４内の圧力を第１圧力Ｐ１に制御し始める例を示している。
【００９６】
次に、処理室３４内の圧力が第１圧力Ｐ１に制御されている状態で、処理室３４内の温度を、前述した搬入温度Ｔ１から、後述するステップＳ１６（熱処理工程）においてウェハ１２をアニール処理（熱処理）する時の温度（処理温度）Ｔ２（図６参照）まで、上昇（昇温）させる。処理温度Ｔ２は、例えば１５００〜２０００℃程度である。
【００９７】
冷却水配管７８に冷却水を流通させるなど冷却機構７５を動作させた状態で、処理炉３０内の少なくとも加熱体３５を誘導加熱し、加熱体３５からの輻射熱によって、処理室３４内のボート２０に保持されている各ウェハ１２を加熱する。具体的には、高周波電源３８が誘導コイル３７に高周波電力を供給することで、誘導コイル３７に高周波電流が流れ、流れる高周波電流により処理炉３０内に高周波電磁界が発生し、発生した高周波電磁界により被誘導体である加熱体３５に渦電流が発生する。加熱体３５に渦電流が流れることでジュール熱が発生し、発生したジュール熱により、加熱体３５が加熱（誘導加熱）されて昇温される。その結果、昇温された加熱体３５からの輻射熱により、処理室３４の内部が加熱され、処理室３４に搬入されているボート２０に保持されているウェハ１２が加熱される。すなわち、高周波電源３８が誘導コイル３７に高周波電力を供給することで、ボート２０に保持されているウェハ１２が加熱される。
【００９８】
なお、ステップＳ１５（昇温工程）においても、処理室３４内の温度は、温度センサ３９により測定され、測定された温度の測定値に基づいて、温度制御部８２が、高周波電源３８により誘導コイル３７へ供給される高周波電力を制御することで、処理室３４内の温度が制御される。
【００９９】
次に、ウェハ１２をアニール処理（熱処理）する（熱処理工程、図５および図６のステップＳ１６）。
【０１００】
このステップＳ１６（熱処理工程）では、処理室３４内の温度が処理温度Ｔ２まで上昇した後、ステップＳ１５（昇温工程）に引き続き、処理室３４内の圧力が第１圧力Ｐ１に制御され、処理室３４内の温度が処理温度Ｔ２に制御されている状態で、ウェハ１２をアニール処理（熱処理）する。
【０１０１】
次に、処理室３４内の温度を、ウェハ１２をアニール処理（熱処理）した時の温度（処理温度）Ｔ２から、ボート２０を処理室３４から搬出する時の温度まで、下降（降温）させる（降温工程、図５および図６のステップＳ１７）。すなわち、ボート２０およびボート２０に保持されているウェハ１２を処理室３４から搬出できるように、ボート２０およびボート２０に保持されているウェハ１２を冷却する。
【０１０２】
このステップＳ１７（降温工程）では、例えば誘導コイル３７への高周波電力の供給を停止するか、または、減少させることで、処理室３４内の温度を、前述した処理温度Ｔ２から、後述するステップＳ１８（搬出工程）における、ボート２０を処理室３４から搬出する時の温度（搬出温度）まで、下降（降温）させる。本実施の形態１では、ボート２０を処理室３４から搬出する時の処理室３４内の温度（搬出温度）は、ボート２０を処理室３４に搬入する時の処理室３４内の温度（搬入温度）Ｔ１に等しいものとする。
【０１０３】
また、ステップＳ１７（降温工程）では、ＭＦＣ４９ａおよびバルブ５０ａを制御することにより、第１ガス供給ノズル４５から第１ガス（Ａｒガス）を供給する。具体的には、ＭＦＣ４９ａおよびバルブ５０ａを制御するとともに、ＡＰＣバルブ５４を制御することにより、第１ガス（Ａｒガス）が、第１ガスライン４７を介して第１ガス供給ノズル４５に流通し、第１ガス供給口４５ａから、加熱体３５と各ウェハ１２との間に供給される。
【０１０４】
また、ステップＳ１７（降温工程）では、好適には、ＭＦＣ４９ｃおよびバルブ５０ｃを制御することにより、第２ガス供給ノズル４６から第１ガス（Ａｒガス）を供給する。具体的には、ＭＦＣ４９ｃおよびバルブ５０ｃを制御するとともに、ＡＰＣバルブ５４を制御することにより、第１ガス（Ａｒガス）が、第２ガスライン４８を介して第２ガス供給ノズル４６に流通し、第２ガス供給口４６ａから、加熱体３５と断熱材４２との間に供給される。
【０１０５】
第１ガス供給口４５ａから供給された第１ガス（Ａｒガス）は、加熱体３５の内側を通り、ガス排気口５２からガス排気管５３を通って排気される。また、第２ガス供給口４６ａから供給された第１ガス（Ａｒガス）は、加熱体３５と断熱材４２との間を通り、ガス排気口５２からガス排気管５３を通って排気される。したがって、ＭＦＣ４９ａ、４９ｃ、バルブ５０ａ、５０ｃおよびＡＰＣバルブ５４を制御することにより、処理室３４内の圧力を、大気圧Ｐａｔｍと略等しい圧力に制御することができる。前述したように、処理室３４内の圧力は、圧力センサ５６によって測定され、測定された圧力の測定値に基づいて、ＡＰＣバルブ５４の開度が制御される。
【０１０６】
このようにして、処理室３４内の圧力が大気圧Ｐａｔｍと略等しい圧力に制御されている状態で、処理室３４内の温度を下降（降温）させる。
【０１０７】
なお、ステップＳ１７（降温工程）でも、処理室３４内の温度は、温度センサ３９により測定され、測定された温度の測定値に基づいて、温度制御部８２により、高周波電源３８が誘導コイル３７へ供給する高周波電力が制御される。
【０１０８】
上記したように、第１ガス供給ノズル４５に加え、第２ガス供給ノズル４６からも第１ガス（Ａｒガス）を供給することにより、冷却されにくい断熱材４２を直接冷却することができるため、第１ガス供給ノズル４５のみから第１ガス（Ａｒガス）を供給する場合に比べ、ウェハ１２を冷却するための冷却時間を短縮することができる。
【０１０９】
なお、前述したステップＳ１４（リーク確認工程となる酸素濃度確認工程）、ステップＳ１５（昇温工程）およびステップＳ１６（熱処理工程）においても、第１ガス供給ノズル４５に加え、第２ガス供給ノズル４６からも第１ガス（Ａｒガス）を供給してもよい。これにより、第１ガス供給ノズル４５のみから第１ガス（Ａｒガス）を供給する場合に比べ、加熱体３５と断熱材４２との間にガスが滞留することを防止し、処理室３４内におけるガスの分布をより均一化することができる。
【０１１０】
本実施の形態１では、ステップＳ１７（降温工程）の途中で、ＭＦＣ４９ａ、４９ｂ、バルブ５０ａ、５０ｂおよびＡＰＣバルブ５４を制御することにより、第１ガス供給ノズル４５からの第１ガス（Ａｒガス）の供給を停止し、第１ガスの熱伝導率よりも高い熱伝導率を有する第２ガス（Ｈｅガス）の供給を開始する。すなわち、ステップＳ１７（降温工程）の途中で、第１ガス供給ノズル４５から供給されるガスを第１ガスから第２ガスに切り替える。これにより、ステップＳ１７（降温工程）において供給されるガスを第１ガスのみとした場合に比べ、ステップＳ１７（降温工程）における処理室３４内の空間に供給されているガスを介して処理室３４の内部から外部へ単位時間に熱伝達される熱量を増加させることができるため、ウェハ１２を冷却するための冷却時間を短縮することができる。なお、ステップＳ１７（降温工程）の初めから第２ガスに切り替えて供給してもよく、この場合、冷却時間をさらに短縮することができる。
【０１１１】
また、本実施の形態１では、好適には、ステップＳ１７（降温工程）の途中で、ＭＦＣ４９ｃ、４９ｄ、バルブ５０ｃ、５０ｄおよびＡＰＣバルブ５４を制御することにより、第２ガス供給ノズル４６からの第１ガス（Ａｒガス）の供給を停止し、第１ガスの熱伝導率よりも高い熱伝導率を有する第２ガス（Ｈｅガス）の供給を開始する。すなわち、ステップＳ１７（降温工程）の途中で、第２ガス供給ノズル４６から供給されるガスを第１ガスから第２ガスに切り替える。これにより、第１ガス供給ノズル４５から供給されるガスのみを第２ガスに切り替える場合に比べ、ステップＳ１７（降温工程）における処理室３４内の空間に供給されているガスを介して処理室３４の内部から外部へ単位時間に熱伝達される熱量をさらに増加させることができるため、ウェハ１２を冷却するための冷却時間をさらに短縮することができる。なお、ステップＳ１７（降温工程）の初めから第２ガスに切り替えて供給してもよく、この場合、冷却時間をより一層短縮することができる。
【０１１２】
なお、第１ガス供給ノズル４５および第２ガス供給ノズル４６から第２ガス（Ｈｅガス）を供給する時は、ＭＦＣ４９ｂ、４９ｄ、バルブ５０ｂ、５０ｄおよびＡＰＣバルブ５４を制御することにより、処理室３４内の圧力を、大気圧Ｐａｔｍと略等しい圧力に制御する。
【０１１３】
次に、ウェハ１２を保持しているボート２０を処理室３４から搬出（アンロード）する（搬出工程、図５および図６のステップＳ１８）。
【０１１４】
このステップＳ１８（搬出工程）では、昇降モータ６３によりシールキャップ２３を下降させる。このとき、マニホールド３３の下端が開くとともに、処理済みのウェハ１２がボート２０に保持されている状態で、ボート２０がマニホールド３３の下端から処理室３４の外部に搬出（ボートアンローディング）される。そして、ボート２０に保持されているウェハ１２が冷却されるまで、ボート２０を所定位置にて待機させる。待機させたボート２０のウェハ１２が所定温度まで冷却されると、基板移載機１９により、ボート２０からウェハ１２を取出し、ポッドオープナ１７にセットされている空のポッド１３に搬送して収納する。その後、ポッド搬送装置１５によりウェハ１２が収納されたポッド１３をポッド収納棚１６、またはポッドステージ１４に搬送する。このようにして、基板処理装置１０の一連の作動が完了する。
【０１１５】
＜降温工程における冷却時間について＞
次に、本実施の形態１の基板処理工程によれば、降温工程における冷却時間を短縮できることについて、実施例１と比較例１とを比較しながら説明する。
【０１１６】
実施例１の基板処理工程は、本実施の形態１の基板処理工程と同様の工程である。ただし、実施例１の基板処理工程は、降温工程において、第２ガス供給ノズル４６からは第１ガスおよび第２ガスのいずれのガスも処理室３４に供給せず、第１ガス供給ノズル４５から処理室３４に供給されるガスを、降温工程の途中で、不活性ガスからなる第１ガス（Ａｒガス）から、第１ガス（Ａｒガス）の熱伝導率よりも高い熱伝導率を有する第２ガス（Ｈｅガス）に切り替えるものである。
【０１１７】
一方、比較例１の基板処理工程は、降温工程において、第２ガス供給ノズル４６からは第１ガスおよび第２ガスのいずれのガスも処理室３４に供給せず、第１ガス供給ノズル４５からは第１ガス（Ａｒガス）のみを処理室３４に供給するものである。すなわち、比較例１の基板処理工程は、降温工程の途中で、第１ガス供給ノズル４５から処理室３４に供給するガスを切り替えない点以外の点については、本実施の形態１の基板処理工程と同様である。
【０１１８】
図７は、実施例１および比較例１の降温工程における処理室内の温度の時間変化を模式的に示すグラフである。
【０１１９】
図７に示すように、降温工程において、処理室内の温度の下降（降温）を開始する時点（時間）、すなわち、処理室内の温度が処理温度Ｔ２である時点（時間）を０とする。また、実施例１において、供給されるガスを第１ガス（Ａｒガス）から第２ガス（Ｈｅガス）へ切り替える時点（時間）をｔ１とし、供給されるガスを第１ガス（Ａｒガス）から第２ガス（Ｈｅガス）へ切り替える時の処理室内の温度をＴ３とする。また、実施例１および比較例１において、ボートの搬出（アンロード）を開始する時の処理室内の温度（搬出開始温度）をＴ４とする。さらに、実施例１において、処理室内の温度が搬出開始温度Ｔ４に等しくなる時点（時間）をｔ２とし、比較例１において、処理室内の温度が搬出開始温度Ｔ４に等しくなる時点（時間）をｔ３とする。
【０１２０】
なお、実施例１および比較例１では、図７を用いて説明する搬出開始温度Ｔ４が、図６を用いて説明した搬出温度（搬入温度）Ｔ１と等しくなく、例えば搬出温度（搬入温度）Ｔ１よりも少し高い場合について説明するが、搬出開始温度Ｔ４は、搬出温度（搬入温度）Ｔ１と等しくてもよい。
【０１２１】
比較例１では、降温工程において、第１ガス（Ａｒガス）を供給している状態で、処理室内の温度を、処理温度Ｔ２から、搬出温度Ｔ１まで下降（降温）させる。
【０１２２】
ＳｉＣエピタキシャル膜が成膜されたＳｉＣ基板からなるウェハのアニール処理（熱処理）においては、前述したように、処理温度Ｔ２は、例えば１５００〜２０００℃程度の高温であり、搬出開始温度Ｔ４（搬出温度Ｔ１）は、例えば５００〜８００℃程度以下の低温であり、処理温度Ｔ２と搬出開始温度Ｔ４（搬出温度Ｔ１）との温度差は、例えば７００〜１５００℃程度以上である。そのため、処理室内の温度を処理温度Ｔ２から搬出開始温度Ｔ４（搬出温度Ｔ１）まで下降（降温）させるための時間（冷却時間）ｔ３として例えば１００分程度の時間を要することがあり、冷却時間が長いことが、単位時間当たりのウェハの処理枚数（スループット）を低下させる要因となっている。
【０１２３】
降温工程において、処理室の内部の熱、すなわち、処理室に搬入されているボートの熱、および、ボートに保持されているウェハの熱は、処理室内の空間に供給されているガスを介して、処理室の外部へ熱伝達される。また、処理室内の空間に供給されているガスを介して処理室の内部から外部へ単位時間に熱伝達される熱量、すなわち、降温速度は、例えば処理室の内部と外部との温度差に比例する。そのため、処理室内の温度が高いときは、処理室の内部との温度差が大きいので十分な降温速度が得られるが、処理室内の温度が低くなると、処理室の内部との温度差が小さくなるため、十分な降温速度が得られなくなる。すなわち、図７に示すように、時間の経過に伴って、降温速度が小さくなる。したがって、冷却時間全体を短縮するためには、降温工程のうち、処理室内の温度が高い前半部分に相当する冷却時間を短縮することよりも、処理室内の温度が低い後半部分に相当する冷却時間を短縮することの方が、効果的である。
【０１２４】
一方、実施例１では、降温工程において、初め、第１ガス（Ａｒガス）を供給している状態で、処理室内の温度を、処理温度Ｔ２から下降（降温）させる。前述したように、処理室内の温度が高いときは、十分な降温速度が得られるため、第１ガス（Ａｒガス）を供給する場合でも十分な降温速度が得られる。
【０１２５】
次に、実施例１では、降温工程の途中であって、処理室内の温度がＴ３になる時点（時間）ｔ１において、供給されるガスを、第１ガス（Ａｒガス）から第２ガス（Ｈｅガス）に切り替える。また、第２ガス（Ｈｅガス）は、第１ガス（Ａｒガス）の熱伝導率よりも高い熱伝導率を有するガスである。
【０１２６】
例えば、Ｈｅガスの熱伝導率は、Ａｒガスの熱伝導率の８．８倍であり、Ａｒガスの熱伝導率に比べて極めて高い。また、Ｈｅガスの平均自由工程は、Ａｒガスの平均自由工程の２．８倍であり、Ａｒガスの平均自由工程に比べて極めて長い。したがって、Ｈｅガスの熱伝達に対する抵抗（熱抵抗）は、Ａｒガスの熱抵抗の数分の一程度になり、Ａｒガスの熱抵抗に比べて小さい。
【０１２７】
このため、実施例１では、降温工程のうち、処理室内の温度が低い後半部分においても、十分な降温速度を得ることができ、処理室内の温度が低い後半部分に相当する冷却時間を短縮することができる。その結果、実施例１において、処理室内の温度を処理温度Ｔ２から搬出開始温度Ｔ４（搬出温度Ｔ１）まで下降（降温）させるための時間（冷却時間）は、比較例１における冷却時間ｔ３に比べて短い時間ｔ２となる。すなわち、実施例１によれば、比較例１に比べ、冷却時間を、時間（ｔ３−ｔ２）だけ短縮することができる。
【０１２８】
なお、実施例１では、降温工程において、第２ガス供給ノズルからは第１ガスおよび第２ガスのいずれのガスも供給しないものとした。しかし、降温工程において、第２ガス供給ノズルからも処理室にガスを供給するようにし、降温工程の途中で、第２ガス供給ノズルから供給されるガスを、第１ガス（Ａｒガス）から第２ガス（Ｈｅガス）に切り替えてもよい。これにより、実施例１に比べ、冷却時間をさらに短縮することができる。
【０１２９】
＜本実施の形態１の主要な特徴と効果＞
実施例１と比較例１とを比較しながら説明したように、本実施の形態１では、降温工程の途中で、処理室に供給されるガスを、不活性ガスからなる第１ガスから、第１ガスの熱伝導率よりも高い熱伝導率を有する第２ガスに切り替える。これにより、降温工程において処理室に第１ガスのみを供給する場合に比べ、処理室内の空間に供給されているガスを介して処理室の内部から外部へ単位時間に熱伝達される熱量を増加させることができるため、冷却時間を短縮することができ、単位時間当たりのウェハの処理枚数（スループット）を向上させることができる。なお、降温工程の初めから第２ガスに切り替えて供給してもよく、この場合、冷却時間をさらに短縮することができる。
【０１３０】
また、降温工程のうち、処理室内の温度が高い前半部分において第２ガスを供給しない場合には、降温工程のうち全ての部分において第２ガスを供給する場合に比べ、第２ガスの使用量を削減することができる。そのため、例えば、第２ガスのコストが第１ガスのコストよりも高い場合には、基板処理に要するコストを抑制することができる。
【０１３１】
なお、本実施の形態１では、基板処理装置において、第１ガス供給ノズルおよび第２ガス供給ノズルのいずれも設けられた例について説明した。しかし、基板処理装置は、第２ガス供給ノズルが設けられておらず、第１ガス供給ノズルのみが設けられたものであってもよい。この場合でも、降温工程において第１ガス供給ノズルから供給されるガスを、第１ガスから第２ガスに切り替えることで、降温工程において、処理室内の空間に供給されているガスを介して処理室の内部から外部へ単位時間に熱伝達される熱量を増加させることができる。そのため、第１ガス供給ノズルおよび第２ガス供給ノズルのいずれも設けられた場合に比べ、冷却時間を短縮する効果は少なくなるものの、降温工程において第１ガス供給ノズルから供給されるガスを第１ガスのみとした場合に比べ、ウェハを冷却するための冷却時間を短縮することができる。また、第２ガス供給ノズルを設けないため、装置構造を簡略化することができ、装置コストを低減することができる。
【０１３２】
（実施の形態２）
実施の形態１では、降温工程の途中で、処理室に供給されるガスを、不活性ガスからなる第１ガスから、第１ガスの熱伝導率よりも高い熱伝導率を有する第２ガスに切り替える。それに対して、実施の形態２では、降温工程において、第１ガスと、第１ガスの熱伝導率よりも高い熱伝導率を有する第２ガスとが混合された混合ガスを、処理室に供給する。
【０１３３】
なお、実施の形態２では、実施の形態１における基板処理装置（図１、図２、図３および図４参照）と同一の基板処理装置を用いることができるため、基板処理装置の概略構成、処理炉の構成、処理炉周辺の構成および制御部の構成については、その説明を省略する。
【０１３４】
＜基板処理工程＞
続いて、本実施の形態２における基板処理工程について説明する。
【０１３５】
本実施の形態２における基板処理工程に含まれる工程のうち、降温工程以外の各工程については、図５および図６を用いて説明した、実施の形態１における基板処理工程に含まれる工程のうち、降温工程以外の各工程と同一であり、その説明を省略する。
【０１３６】
本実施の形態２における基板処理工程に含まれる降温工程は、処理室３４（図２参照）内の温度を、処理温度Ｔ２から搬出温度（搬入温度）Ｔ１まで下降（降温）させるものであり、供給されるガスの種類が異なる点以外の点については、実施の形態１における基板処理工程に含まれる降温工程（図５および図６のステップＳ１７）と同様である。
【０１３７】
一方、本実施の形態２において、降温工程では、図２に示される処理炉３０において、ＭＦＣ４９ａ、４９ｂおよびバルブ５０ａ、５０ｂを制御することにより、第１ガス供給ノズル４５から第１ガス（Ａｒガス）と第２ガス（Ｈｅガス）とを混合して供給する。具体的には、ＭＦＣ４９ａ、４９ｂおよびバルブ５０ａ、５０ｂを制御することにより、第１ガス（Ａｒガス）と第２ガス（Ｈｅガス）とが、所定の混合比で混合された状態で、第１ガスライン４７を介して第１ガス供給ノズル４５に流通し、第１ガス供給口４５ａから、加熱体３５と各ウェハ１２との間に供給される。
【０１３８】
また、本実施の形態２において、好適には、降温工程では、図２に示される処理炉３０において、ＭＦＣ４９ｃ、４９ｄおよびバルブ５０ｃ、５０ｄを制御することにより、第２ガス供給ノズル４６から第１ガス（Ａｒガス）と第２ガス（Ｈｅガス）とを混合して供給する。具体的には、ＭＦＣ４９ｃ、４９ｄおよびバルブ５０ｃ、５０ｄを制御することにより、第１ガス（Ａｒガス）と第２ガス（Ｈｅガス）とが、所定の混合比で混合された状態で、第２ガスライン４８を介して第２ガス供給ノズル４６に流通し、第２ガス供給口４６ａから、加熱体３５と断熱材４２との間に供給される。
【０１３９】
また、ＭＦＣ４９ａ〜４９ｄ、バルブ５０ａ〜５０ｄおよびＡＰＣバルブ５４を制御することにより、処理室３４内の圧力を、大気圧Ｐａｔｍと略等しい圧力に制御する。このようにして、処理室３４内の圧力が大気圧Ｐａｔｍと略等しい圧力に制御されている状態で、処理室３４内の温度を下降（降温）させる。
【０１４０】
＜降温工程における冷却時間について＞
次に、本実施の形態２の基板処理工程によれば、降温工程における冷却時間を短縮できることについて、実施例２と比較例２とを比較しながら説明する。
【０１４１】
実施例２の基板処理工程は、本実施の形態２の基板処理工程と同様の工程である。ただし、実施例２の基板処理工程は、降温工程において、第２ガス供給ノズル４６からは第１ガスおよび第２ガスのいずれのガスも処理室３４に供給せず、第１ガス供給ノズル４５からは、第１ガス（Ａｒガス）と、第１ガス（Ａｒガス）の熱伝導率よりも高い熱伝導率を有する第２ガス（Ｈｅガス）とを混合して処理室３４に供給するものである。
【０１４２】
一方、比較例２の基板処理工程は、降温工程において、第２ガス供給ノズル４６からは第１ガスおよび第２ガスのいずれのガスも処理室３４に供給せず、第１ガス供給ノズル４５からは第１ガス（Ａｒガス）のみを処理室３４に供給するものであり、実施の形態１における比較例１の基板処理工程と同一の工程である。
【０１４３】
図８は、実施例２および比較例２の降温工程における処理室内の温度の時間変化を模式的に示すグラフである。
【０１４４】
図８に示すように、降温工程において、処理室内の温度の下降（降温）を開始する時点（時間）、すなわち、処理室内の温度が処理温度Ｔ２である時点（時間）を０とする。また、実施例２および比較例２においても、実施の形態１で説明した実施例１および比較例１と同様に、ボートの搬出（アンロード）を開始する時の処理室内の温度（搬出開始温度）をＴ４とする。さらに、実施例２において、処理室内の温度が搬出開始温度Ｔ４に等しくなる時点（時間）をｔ４とし、比較例２において、処理室内の温度が搬出開始温度Ｔ４に等しくなる時点（時間）を、実施の形態１で説明した比較例１と同様に、ｔ３とする。
【０１４５】
なお、実施例２および比較例２でも、実施例１および比較例１と同様に、図８を用いて説明する搬出開始温度Ｔ４が、図６を用いて説明した搬出温度（搬入温度）Ｔ１より少し高くてもよく、あるいは、搬出温度（搬入温度）Ｔ１と等しくてもよい。
【０１４６】
比較例２でも、実施の形態１で説明した比較例１と同様に、処理室内の温度を処理温度Ｔ２から搬出開始温度Ｔ４（搬出温度Ｔ１）まで下降（降温）させるための時間（冷却時間）ｔ３が長いことが、単位時間当たりのウェハの処理枚数（スループット）を低下させる要因となっている。
【０１４７】
一方、実施例２では、降温工程において、第１ガス（Ａｒガス）と第２ガス（Ｈｅガス）とを混合して供給している状態で、処理室内の温度を、処理温度Ｔ２から下降（降温）させる。第２ガス（Ｈｅガス）は、第１ガス（Ａｒガス）の熱伝導率よりも高い熱伝導率を有するガスであるため、第１ガス（Ａｒガス）と第２ガス（Ｈｅガス）とが混合されたガスも、第１ガス（Ａｒガス）の熱伝導率よりも高い熱伝導率を有する。このため、実施例２において、処理室内の温度を処理温度Ｔ２から搬出開始温度Ｔ４（搬出温度Ｔ１）まで下降（降温）させるための時間（冷却時間）は、比較例２における冷却時間ｔ３に比べて短い時間ｔ４となる。すなわち、実施例２によれば、比較例２に比べ、冷却時間を、時間（ｔ３−ｔ４）だけ短縮することができる。
【０１４８】
なお、実施例２でも、実施例１と同様に、降温工程において、第２ガス供給ノズルからは第１ガスおよび第２ガスのいずれのガスも供給しないものとした。しかし、降温工程において、第２ガス供給ノズルからも、第１ガス（Ａｒガス）と第２ガス（Ｈｅガス）とを混合して供給してもよい。これにより、実施例２に比べ、冷却時間をさらに短縮することができる。
【０１４９】
＜本実施の形態２の主要な特徴と効果＞
実施例２と比較例２とを比較しながら説明したように、本実施の形態２では、降温工程において、不活性ガスからなる第１ガスと、第１ガスの熱伝導率よりも高い熱伝導率を有する第２ガスとを混合して処理室に供給する。これにより、降温工程において処理室に第１ガスのみを供給する場合に比べ、処理室内の空間に供給されているガスを介して処理室の内部から外部へ単位時間に熱伝達される熱量を増加させることができるため、冷却時間を短縮することができ、単位時間当たりのウェハの処理枚数（スループット）を向上させることができる。
【０１５０】
また、本実施の形態２では、降温工程の途中で、処理室に供給されるガスを第１ガスから第２ガスに切り替える工程がないため、降温工程における制御が簡略化される。
【０１５１】
また、実施の形態１では、供給されるガスを切り替える場合には、パーティクルが発生するおそれがある。
【０１５２】
一方、本実施の形態２では、降温工程の途中で処理室に供給されるガスを切り替える工程がないため、降温工程においてパーティクルが発生することを抑制できる。
【０１５３】
さらに、実施の形態１では、降温工程において、第１ガスの熱伝導率よりも高い熱伝導率を有する第２ガスを処理室に供給するが、例えば第１ガス供給ノズルから供給される第２ガスは、処理室の下側の部分よりも、処理室の上側の部分に多く供給される。このため、処理室の上側の部分の降温速度が、処理室の下側の部分の降温速度より大きくなり、処理室の上側の部分（例えば図２に示すボート２０など）と処理室の下側の部分（例えば図２に示すボート断熱部２２など）との間で温度差が発生し、発生した温度差により、例えばボート等に応力が加えられるおそれがある。
【０１５４】
一方、本実施の形態２では、降温工程において、第１ガスと第２ガスとを混合して処理室に供給する。また、第１ガスと第２ガスとを混合する混合比を調整することで、処理室内の空間に供給されているガスを介して処理室の内部から外部へ単位時間に熱伝達される熱量を調整することができる。したがって、降温工程において、第１ガスと第２ガスとを混合する混合比を調整することで、処理室に第１ガスのみを供給する場合に比べ、冷却時間を短縮するとともに、処理室内に発生する温度差により例えばボート等に加えられる応力を低減することができる。
【０１５５】
なお、本実施の形態２では、降温工程の途中で、第１ガスと第２ガスとを混合する混合比を変更することもできる。これにより、処理室内の空間に供給されているガスを介して処理室の内部から外部へ単位時間に熱伝達される熱量を、処理室内の温度に対応させながら調整することができる。
【０１５６】
また、本実施の形態２でも、実施の形態１と同様に、基板処理装置は、第２ガス供給ノズルが設けられておらず、第１ガス供給ノズルのみが設けられたものであってもよい。この場合でも、降温工程において第１ガスと第２ガスとを混合して供給することで、降温工程において、処理室内の空間に供給されているガスを介して処理室の内部から外部へ単位時間に熱伝達される熱量を増加させることができる。そのため、第１ガス供給ノズルおよび第２ガス供給ノズルのいずれも設けられた場合に比べ、冷却時間を短縮する効果は少なくなるものの、降温工程において第１ガス供給ノズルから供給されるガスを第１ガスのみとした場合に比べ、ウェハを冷却するための冷却時間を短縮することができる。また、第２ガス供給ノズルを設けないため、装置構造を簡略化することができ、装置コストを低減することができる。
【０１５７】
（実施の形態３）
実施の形態１では、降温工程の途中で、第１ガス供給ノズルから処理室に供給されるガスを、不活性ガスからなる第１ガスから、第１ガスの熱伝導率よりも高い熱伝導率を有する第２ガスに切り替える。それに対して、実施の形態３では、降温工程の途中で、第１ガス供給ノズルから処理室に供給されるガスを切り替えないが、第１ガス供給ノズルに加え、第２ガス供給ノズルからも処理室に第１ガスを供給する。
【０１５８】
なお、実施の形態３における基板処理装置の構成については、後述する処理炉３０ａを除き、実施の形態１における基板処理装置（図１、図３および図４参照）と同様の構成とすることができるため、基板処理装置の概略構成、処理炉周辺の構成および制御部の構成については、その説明を省略する。
【０１５９】
＜処理炉の構成＞
次に、本実施の形態３における処理炉の構成について、図面を参照しながら説明する。図９は、実施の形態３における処理炉の概略構成を示す縦断面図である。
【０１６０】
本実施の形態３における処理炉（反応炉）３０ａに含まれるガス供給ノズル、ＭＦＣ、バルブおよびガス源以外の各部分については、図２を用いて説明した、実施の形態１における処理炉３０に含まれるガス供給ノズル、ＭＦＣ、バルブおよびガス源以外の各部分と同一であり、その説明を省略する。
【０１６１】
本実施の形態３の処理炉３０ａにおいても、実施の形態１の処理炉３０（図２参照）と同様に、第１ガス供給ノズル４５および第２ガス供給ノズル４６が設けられている。
【０１６２】
一方、本実施の形態３の処理炉３０ａでは、実施の形態１の処理炉３０と異なり、例えばＡｒガス等の不活性ガスからなる第１ガスのみを供給するようになっており、第１ガスの熱伝導率よりも高い熱伝導率を有する第２ガスを供給するようにはなっていない。そのため、本実施の形態３の処理炉３０ａには、実施の形態１の処理炉３０（図２参照）に設けられていたＭＦＣ４９ｂ、４９ｄ、バルブ５０ｂ、５０ｄおよびガス源５１ｂ、５１ｄが設けられていない。
【０１６３】
その結果、第１ガス供給ノズル４５は、第１ガスライン４７に接続されており、第２ガス供給ノズル４６は、第２ガスライン４８に接続されている。第１ガスライン４７は、ＭＦＣ４９ａおよびバルブ５０ａを介して、ガス源（供給部）５１ａに接続されている。第２ガスライン４８は、ＭＦＣ４９ｃおよびバルブ５０ｃを介して、ガス源（供給部）５１ｃに接続されている。ガス源５１ａ、５１ｃには、例えばＡｒガスからなる第１ガスが充填されている。この構成により、第１ガス供給ノズル４５、および、第２ガス供給ノズル４６から供給される、例えばＡｒガスからなる第１ガスの流量を制御することができる。
【０１６４】
＜基板処理工程＞
続いて、本実施の形態３における基板処理工程について説明する。
【０１６５】
本実施の形態３における基板処理工程に含まれる工程のうち、降温工程以外の各工程については、図５および図６を用いて説明した、実施の形態１における基板処理工程に含まれる工程のうち、降温工程以外の各工程と同一であり、その説明を省略する。
【０１６６】
本実施の形態３における基板処理工程に含まれる降温工程は、処理室３４内の温度を、処理温度Ｔ２から搬出温度（搬入温度）Ｔ１まで下降（降温）させるものであり、供給されるガスの種類が異なる点以外の点については、実施の形態１における基板処理工程に含まれる降温工程（図５および図６のステップＳ１７）と同様である。
【０１６７】
一方、本実施の形態３において、降温工程では、図９に示される処理炉３０ａにおいて、ＭＦＣ４９ａおよびバルブ５０ａを制御することにより、第１ガス供給ノズル４５から第１ガス（Ａｒガス）を供給する。具体的には、ＭＦＣ４９ａおよびバルブ５０ａを制御することにより、第１ガス（Ａｒガス）が、第１ガスライン４７を介して第１ガス供給ノズル４５に流通し、第１ガス供給口４５ａから、加熱体３５と各ウェハ１２との間に供給される。
【０１６８】
また、本実施の形態３において、降温工程では、図９に示される処理炉３０ａにおいて、ＭＦＣ４９ｃおよびバルブ５０ｃを制御することにより、第２ガス供給ノズル４６から第１ガス（Ａｒガス）を供給する。具体的には、ＭＦＣ４９ｃおよびバルブ５０ｃを制御することにより、第１ガス（Ａｒガス）が、第２ガスライン４８を介して第２ガス供給ノズル４６に流通し、第２ガス供給口４６ａから、加熱体３５と断熱材４２との間に供給される。
【０１６９】
また、ＭＦＣ４９ａ、４９ｃ、バルブ５０ａ、５０ｃおよびＡＰＣバルブ５４を制御することにより、処理室３４内の圧力を、大気圧Ｐａｔｍと略等しい圧力に制御する。このようにして、処理室３４内の圧力が大気圧Ｐａｔｍと略等しい圧力に制御されている状態で、処理室３４内の温度を下降（降温）させる。
【０１７０】
＜本実施の形態３の主要な特徴と効果＞
本実施の形態３では、降温工程の途中で、第１ガス供給ノズル４５から処理室３４に供給されるガスを切り替えないが、第１ガス供給ノズル４５に加え、第２ガス供給ノズル４６からも処理室３４に第１ガス（Ａｒガス）を供給する。これにより、降温工程において断熱材４２を直接冷却することができるため、第１ガス供給ノズル４５のみから第１ガス（Ａｒガス）を供給する場合に比べ、ウェハを冷却するための冷却時間を短縮することができ、単位時間当たりのウェハの処理枚数（スループット）を向上させることができる。
【０１７１】
また、本実施の形態３では、第１ガスの熱伝導率よりも高い熱伝導率を有する第２ガスを供給するためのＭＦＣ、バルブおよびガス源が設けられていない。そのため、本実施の形態３における基板処理装置は、第２ガスを供給するためのＭＦＣ、バルブおよびガス源が設けられている実施の形態１および実施の形態２における基板処理装置に比べ、装置構造を簡略化することができる。
【０１７２】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【０１７３】
前記実施の形態では、高周波誘導加熱方式によって加熱体を加熱する基板処理装置を例に挙げて説明したが、本発明の技術的思想は、これに限らず、例えば、抵抗加熱方式の基板処理装置や、ランプ加熱方式の基板処理装置などの他の加熱方式の基板処理装置にも幅広く適用することができる。
【０１７４】
また、前記実施の形態では、ＳｉＣエピタキシャル膜が形成されたウェハをアニール処理する基板処理装置を例に挙げて説明したが、本発明の技術的思想は、これに限らず、ウェハにＳｉＣエピタキシャル膜その他各種の膜を高温で成膜する基板処理装置にも幅広く適用することができる。さらに、本発明の技術的思想は、ＳｉＣエピタキシャル膜が形成されたウェハ以外の各種のウェハを高温で処理する基板処理装置にも幅広く適用することができる。
【０１７５】
最後に本発明の好ましい主な態様を以下に付記する。
【０１７６】
〔付記１〕
基板を処理するための処理室と、
前記基板を保持し、前記処理室に対して搬入または搬出される保持部と、
前記処理室に、不活性ガスからなる第１ガスを供給する第１供給部と、
前記処理室を加熱する加熱部と、
前記処理室に、前記第１ガスの熱伝導率よりも高い熱伝導率を有する第２ガスを供給する第２供給部と、
前記第１供給部、前記加熱部および前記第２供給部の動作を制御する制御部と、
を有し、
前記制御部は、
前記基板を保持している前記保持部が前記処理室に搬入され、前記処理室に前記第１ガスが前記第１供給部により供給されている状態で、前記保持部に保持されている前記基板を前記加熱部により加熱しつつ処理し、
前記基板を処理した後、前記処理室に前記第２ガスが前記第２供給部により供給されている状態で、処理された前記基板を冷却するように制御することを特徴とする基板処理装置。
【０１７７】
〔付記２〕
基板を処理するための処理室と、
前記基板を保持し、前記処理室に対して搬入または搬出される保持部と、
前記処理室に、不活性ガスからなる第１ガスと、前記第１ガスの熱伝導率よりも高い熱伝導率を有する第２ガスとを切り替えて供給する供給部と、
前記処理室を加熱する加熱部と、
前記供給部および前記加熱部の動作を制御する制御部と、
を有し、
前記制御部は、
前記基板を保持している前記保持部が前記処理室に搬入され、前記処理室に前記第１ガスが前記供給部により供給されている状態で、前記保持部に保持されている前記基板を前記加熱部により加熱しつつ処理し、
前記基板を処理した後、前記処理室に前記第１ガスまたは前記第２ガスが前記供給部により供給されている状態で、処理された前記基板を冷却するように制御するものであり、
処理された前記基板を冷却する途中で、前記処理室に供給するガスを、前記第１ガスから前記第２ガスに切り替えるように、前記供給部を制御するものであることを特徴とする基板処理装置。
【０１７８】
〔付記３〕
基板を処理するための処理室と、
前記基板を保持し、前記処理室に対して搬入または搬出される保持部と、
前記処理室に、不活性ガスからなる第１ガスを供給するか、または、前記第１ガスと、前記第１ガスの熱伝導率よりも高い熱伝導率を有する第２ガスとを混合して供給する供給部と、
前記処理室を加熱する加熱部と、
前記供給部および前記加熱部の動作を制御する制御部と、
を有し、
前記制御部は、
前記基板を保持している前記保持部が前記処理室に搬入され、前記処理室に前記第１ガスが前記供給部により供給されている状態で、前記保持部に保持されている前記基板を前記加熱部により加熱しつつ処理し、
前記基板を処理した後、処理された前記基板を冷却するように制御するものであり、
処理された前記基板を冷却する際に、前記処理室に、前記第１ガスと前記第２ガスとを混合して供給するように、前記供給部を制御するものであることを特徴とする基板処理装置。
【０１７９】
〔付記４〕
基板を処理するための処理室と、
前記処理室に設けられた断熱材と、
前記基板を保持し、前記処理室に対して搬入または搬出される保持部と、
前記基板を保持している前記保持部が前記処理室に搬入されている状態で、前記保持部に保持されている前記基板を加熱しつつ処理する加熱部と、
処理された前記基板を冷却する際に、前記処理室に搬入されている前記保持部に不活性ガスを供給する第１供給部と、
処理された前記基板を冷却する際に、前記断熱材に前記不活性ガスを供給する第２供給部と、
を有する基板処理装置。
【０１８０】
〔付記５〕
（ａ）保持部により基板を保持する工程、
（ｂ）前記（ａ）工程の後、前記基板を保持している前記保持部を、前記基板を処理するための処理室に搬入する工程、
（ｃ）前記（ｂ）工程の後、前記処理室に不活性ガスからなる第１ガスが供給されている状態で、前記保持部に保持されている前記基板を加熱部により加熱しつつ処理する工程、
（ｄ）前記（ｃ）工程の後、前記処理室に前記第１ガスまたは前記第１ガスの熱伝導率よりも高い熱伝導率を有する第２ガスが供給されている状態で、処理された前記基板を冷却する工程、
を有し、
前記（ｄ）工程の途中で、前記処理室に供給するガスを、前記第１ガスから前記第２ガスに切り替えることを特徴とする基板処理方法。
【０１８１】
〔付記６〕
（ａ）保持部により基板を保持する工程、
（ｂ）前記（ａ）工程の後、前記基板を保持している前記保持部を、前記基板を処理するための処理室に搬入する工程、
（ｃ）前記（ｂ）工程の後、前記処理室に不活性ガスからなる第１ガスが供給されている状態で、前記保持部に保持されている前記基板を加熱部により加熱しつつ処理する工程、
（ｄ）前記（ｃ）工程の後、前記処理室に前記第１ガスまたは前記第１ガスの熱伝導率よりも高い熱伝導率を有する第２ガスが供給されている状態で、処理された前記基板を冷却する工程、
を有し、
前記（ｄ）工程において、前記処理室に、前記第１ガスと前記第２ガスとを混合して供給することを特徴とする基板処理方法。
【０１８２】
〔付記７〕
（ａ）保持部により基板を保持する工程、
（ｂ）前記（ａ）工程の後、前記基板を保持している前記保持部を、断熱材が設けられ、前記基板を処理するための処理室に搬入する工程、
（ｃ）前記（ｂ）工程の後、前記保持部に保持されている前記基板を加熱部により加熱しつつ処理する工程、
（ｄ）前記（ｃ）工程の後、処理された前記基板を冷却する工程、
を有し、
前記（ｄ）工程において、第１供給部により、前記処理室に搬入されている前記保持部に不活性ガスを供給するとともに、第２供給部により、前記断熱材に前記不活性ガスを供給することを特徴とする基板処理方法。
【０１８３】
〔付記８〕
（ａ）保持部により基板を保持する工程、
（ｂ）前記（ａ）工程の後、前記基板を保持している前記保持部を、前記基板を処理するための処理室に搬入する工程、
（ｃ）前記（ｂ）工程の後、前記処理室に不活性ガスからなる第１ガスが供給されている状態で、前記保持部に保持されている前記基板を加熱部により加熱しつつ処理する工程、
（ｄ）前記（ｃ）工程の後、前記処理室に前記第１ガスまたは前記第１ガスの熱伝導率よりも高い熱伝導率を有する第２ガスが供給されている状態で、処理された前記基板を冷却する工程、
を有し、
前記（ｄ）工程の途中で、前記処理室に供給するガスを、前記第１ガスから前記第２ガスに切り替えることを特徴とする半導体装置の製造方法。
【０１８４】
〔付記９〕
（ａ）保持部により基板を保持する工程、
（ｂ）前記（ａ）工程の後、前記基板を保持している前記保持部を、前記基板を処理するための処理室に搬入する工程、
（ｃ）前記（ｂ）工程の後、前記処理室に不活性ガスからなる第１ガスが供給されている状態で、前記保持部に保持されている前記基板を加熱部により加熱しつつ処理する工程、
（ｄ）前記（ｃ）工程の後、前記処理室に前記第１ガスまたは前記第１ガスの熱伝導率よりも高い熱伝導率を有する第２ガスが供給されている状態で、処理された前記基板を冷却する工程、
を有し、
前記（ｄ）工程において、前記処理室に、前記第１ガスと前記第２ガスとを混合して供給することを特徴とする半導体装置の製造方法。
【０１８５】
〔付記１０〕
（ａ）保持部により基板を保持する工程、
（ｂ）前記（ａ）工程の後、前記基板を保持している前記保持部を、断熱材が設けられ、前記基板を処理するための処理室に搬入する工程、
（ｃ）前記（ｂ）工程の後、前記保持部に保持されている前記基板を加熱部により加熱しつつ処理する工程、
（ｄ）前記（ｃ）工程の後、処理された前記基板を冷却する工程、
を有し、
前記（ｄ）工程において、第１供給部により、前記処理室に搬入されている前記保持部に不活性ガスを供給するとともに、第２供給部により、前記断熱材に前記不活性ガスを供給することを特徴とする半導体装置の製造方法。
【０１８６】
〔付記１１〕
（ａ）保持部により基板を保持する工程、
（ｂ）前記（ａ）工程の後、前記基板を保持している前記保持部を、前記基板を処理するための処理室に搬入する工程、
（ｃ）前記（ｂ）工程の後、前記処理室に不活性ガスからなる第１ガスが供給されている状態で、前記保持部に保持されている前記基板を加熱部により加熱しつつ処理する工程、
（ｄ）前記（ｃ）工程の後、前記処理室に前記第１ガスの熱伝導率よりも高い熱伝導率を有する第２ガスが供給されている状態で、処理された前記基板を冷却する工程、
を有することを特徴とする基板の製造方法。
【０１８７】
〔付記１２〕
（ａ）保持部により基板を保持する工程、
（ｂ）前記（ａ）工程の後、前記基板を保持している前記保持部を、前記基板を処理するための処理室に搬入する工程、
（ｃ）前記（ｂ）工程の後、前記処理室に不活性ガスからなる第１ガスが供給されている状態で、前記保持部に保持されている前記基板を加熱部により加熱しつつ処理する工程、
（ｄ）前記（ｃ）工程の後、前記処理室に前記第１ガスまたは前記第１ガスの熱伝導率よりも高い熱伝導率を有する第２ガスが供給されている状態で、処理された前記基板を冷却する工程、
を有し、
前記（ｄ）工程の途中で、前記処理室に供給するガスを、前記第１ガスから前記第２ガスに切り替えることを特徴とする基板の製造方法。
【０１８８】
〔付記１３〕
（ａ）保持部により基板を保持する工程、
（ｂ）前記（ａ）工程の後、前記基板を保持している前記保持部を、前記基板を処理するための処理室に搬入する工程、
（ｃ）前記（ｂ）工程の後、前記処理室に不活性ガスからなる第１ガスが供給されている状態で、前記保持部に保持されている前記基板を加熱部により加熱しつつ処理する工程、
（ｄ）前記（ｃ）工程の後、前記処理室に前記第１ガスまたは前記第１ガスの熱伝導率よりも高い熱伝導率を有する第２ガスが供給されている状態で、処理された前記基板を冷却する工程、
を有し、
前記（ｄ）工程において、前記処理室に、前記第１ガスと前記第２ガスとを混合して供給することを特徴とする基板の製造方法。
【０１８９】
〔付記１４〕
（ａ）保持部により基板を保持する工程、
（ｂ）前記（ａ）工程の後、前記基板を保持している前記保持部を、断熱材が設けられ、前記基板を処理するための処理室に搬入する工程、
（ｃ）前記（ｂ）工程の後、前記保持部に保持されている前記基板を加熱部により加熱しつつ処理する工程、
（ｄ）前記（ｃ）工程の後、処理された前記基板を冷却する工程、
を有し、
前記（ｄ）工程において、第１供給部により、前記処理室に搬入されている前記保持部に不活性ガスを供給するとともに、第２供給部により、前記断熱材に前記不活性ガスを供給することを特徴とする基板の製造方法。
【産業上の利用可能性】
【０１９０】
本発明は、半導体装置を製造する製造業に幅広く利用することができる。
【符号の説明】
【０１９１】
１０…基板処理装置、１１…筐体、１２…ウェハ、１３…フープ（ポッド）、１４…ポッドステージ、１５…ポッド搬送装置、１６…ポッド収納棚、１７…ポッドオープナ、１８…基板枚数検知器、１９…基板移載機、２０…ボート、２１…アーム（ツイーザ）、２２…ボート断熱部、２３…シールキャップ、２４…ロードロック室、３０…処理炉（反応炉）、３０ａ…処理炉（反応炉）、３１…筐体、３２…反応管、３３…マニホールド、３４…処理室（反応室）、３５…加熱体（被誘導体）、３６…支持部材、３７…誘導コイル、３８…高周波電源、３９…温度センサ、４２…断熱材、４２ａ…断熱材ケーシング、４３…外側断熱壁、４４…磁気シール、４５…第１ガス供給ノズル、４５ａ…第１ガス供給口、４５ｂ…基端部、４６…第２ガス供給ノズル、４６ａ…第２ガス供給口、４６ｂ…基端部、４７…第１ガスライン、４８…第２ガスライン、４９ａ〜４９ｄ…ＭＦＣ、５０ａ〜５０ｄ…バルブ、５１ａ〜５１ｄ…ガス源、５２…ガス排気口、５３…ガス排気管、５４…ＡＰＣバルブ、５５…真空排気装置、５６…圧力センサ、５７…酸素濃度センサ、６１…回転機構、６２…回転軸、６３…昇降モータ、６４…下基板、６５…昇降台、６６…ガイドシャフト、６７…ボール螺子、６８…上基板、６９…昇降シャフト、７０…天板、７１…ベローズ、７２…昇降基板、７３…駆動部カバー、７４…駆動部収納ケース、７５…冷却機構、７６…電力ケーブル、７７…冷却水流路、７８…冷却水配管、７９…炉口、８０…コントローラ、８１…主制御部、８２…温度制御部、８３…ガス流量制御部、８４…圧力制御部、８５…測定部、８６…駆動制御部 
【図１】
2013201288.tif 000003
【図２】
2013201288.tif 000004
【図３】
2013201288.tif 000005
【図４】
2013201288.tif 000006
【図５】
2013201288.tif 000007
【図６】
2013201288.tif 000008
【図７】
2013201288.tif 000009
【図８】
2013201288.tif 000010
【図９】
2013201288.tif 000011